(57)【要約】【課題】従来、既設の脆弱な壁・天井材に吊り金具・受け金具等を取り付けるには、下地の位置を正確に調査し、下地がある部分にしか取り付けることができなかった。そこで、如何なる場所でも取付けることが可能な固定具を提供するものである。【解決手段】既設の壁や天井部材等に手摺や吊り金具・棚受け金具等の被固定具を取付ける基板となるものであって、その構造は、壁や天井部材等に開けた小さな開口部から挿入され該裏面に密接する裏地と、前記壁や天井部材の厚み部に密接する底部と、前記壁や天井部材の表面に密接する表地とで略ユ字状に成形した壁や天井部材等に取付ける固定具である。【選択図】図１
2016008692.tif 000002
【特許請求の範囲】
【請求項１】
壁や天井材等に設けた開口部へ該壁や天井材等の裏面に当接する裏地と、前記壁や天井材の厚み部側面に当接する底部と、前記壁や天井材の表面に密接する表地とで略ユ字状に成形され各部位が広角・湾曲することで容易に挿入でき、形状復旧することで自動的に該壁や天井材等を挟み込む特徴を持つ壁や天井材等に取付ける固定具。
【請求項２】
前記裏地が前記表地に対して上方向に長く、前記表地が前記底部より下方向へ突出することでかかりしろを有する形状を特徴とする請求項１記載の壁や天井材等に取付ける固定具。
【請求項３】
前記表地に容易に取り外し交換ができる化粧プレートをはめ込む形状を特徴とする請求項１又は請求項２記載の壁や天井材等に取付ける固定具。
【請求項４】
前記裏地と前記表地との間隔を調整する手段を講じた前記底部または前記裏地であることを特徴とする請求項１乃至請求項３のいずれかに記載の壁や天井材等に取付ける固定具。
【発明の詳細な説明】
【技術分野】
【０００１】
本発明は、下地が無い壁・天井材等の部位に手摺や吊り金具・受け金具等を取り付ける固定具に関するものである。
【背景技術】
【０００２】
従来、既設の脆弱な壁・天井材に手摺や吊り金具・受け金具を取り付けるには、下地の位置を正確に調査し、下地がある部分にしか取り付けることができず、個人の思う位置にならない場合がある。後付け手摺の設置をする場合、個人が求める手摺の高さはそれぞれであり、既設の壁が化粧材で仕上がっている状態において、求める手摺の高さに見合った場所に下地があることは到底期待できない。その他、額吊りフックやカーテンレール吊り金具・棚受け金具・等の多くの商品においても同様の事が言える。
既設の脆弱な壁・天井材の背面側に下地が無い部分の表面へ、吊り金具や受け金具を留め付ける場合の工法として、これまでは主に（イ）〜（ニ）の４つの方法で取り付けられてきた可能性が考えられる。
（イ）       プラグ・アンカー等を用いて取り付ける。
（ロ）       両面テープによる接着、もしくは接着剤・両面テープ・釘・ネジを併用する。
（ハ）      一定もしくは不ぞろいに設けられた下地Ａから下地Ｂにかけての既設壁・天井材の化粧面側の広範囲に、厚みのある木質系板材や金属製板材を補強材として打ちつけ、取り付ける。
（ニ）        既設の壁材・天井材および化粧仕上げ材をはがし、補強下地を設置し、再び壁材・天井材と化粧仕上げ材を復旧して取り付ける。などがあげられる。
【０００３】
しかしながら、従来の工法（イ）〜（ニ）においては、それぞれに次のような問題や危険があった。
（イ）           既設の壁・天井に用いられている板状部材自体が脆弱であるうえ、プラグやアンカーの耐荷重領域はごく部分的なため、重い物を吊り下げたり、受けたりすることに対する強度に不安があり、取り付けた金具の落下・剥離による荷物の落下や手摺の崩壊を招く恐れがあり危険である。
（ロ）           （イ）の危険性に加えて、時間の経過と共に接着が弱くなるなどの不確定な不安要素も加わって強度に問題がある。
（ハ）          既に化粧仕上げがなされた壁面および天井面に必要以上の広範囲に補強板を打ち付けるために場合によっては空間の意匠性を欠き、補強板自体に厚みが必要となるため、壁・天井面に極端な突起ができ、日常的に角当て・打撲・引っ掻きなどの人体損傷を招いたり、空間に圧迫感を派生させる恐れがある。
（ニ）          本来の目的である簡易に取り付けられるべき金具が、それだけのために想定以上に大がかりな工事が必要になり、個人の思わぬ経済的な負担を招きかねない。
【０００４】
そこで、上記の種々の問題を解消すべき一手段として特開２００６−３０００８０では、壁面に取付孔を開け、該孔部に挟み込み可能な第１固定具と、該孔に挿入可能な固定物取付部を有する第２固定具で構成する技術が提案されている。
しかし、上記固定具は優れている点もあるが、第１固定部材が２から３個を要し、更に、開口部に第２固定具を要するなど、部材数、及び施工面で一考する点もあり、又、用途も限定されると思われる。
【先行技術文献】
【特許文献】
【０００５】
【特許文献１】特開２００６−３０００８０号公報
【発明の概要】
【発明が解決しようとする課題】
【０００６】
そこで、本発明は上記のような従来工法の欠点に鑑み、ひとつは既に仕上がった壁や天井として柱・間柱・胴縁等に取り付けられた脆弱な壁・天井材をそのままに、短時間の簡単な施工で、強度を持ち、美観を損ねず、仕上げ面からの突起を少なくすることで日常生活に支障が無く、経済的な負担を抑えて個人の求める自由な位置に吊り金具・受け金具・止め具等の取り付けを可能にする固定具を提供する。
しかも、この固定具は従来のように第１・第２等の複数の部品を必要せず、一個の部品で機能が果たせ、必要とする荷重にも耐え、更に、多くの用途にも使用できる新規な固定具を提供するものである。
.
【課題を解決するための手段】
【０００７】
既に仕上がっている壁あるいは天井材に設けた極力小さな開口部に、表地と裏地と底部の３つの板が略ユ字状に成形した本発明の固定具を挿入固定することで、壁や天井の脆弱な板状材の表面と裏面は強度の強い面材で挟持され、かつ、この単純で短い一連の作業で挿入時に開けた開口部は表地のかかりしろ部分でで覆い隠すことができる。
この固定具が取付けられれば、その部位に吊り金具や受け金具・止め具を従来通り付属のネジにて強固に取り付けることができる。
【０００８】
本発明の固定具をより詳細に説明する。
「請求項１」記載の固定具は、図２・３に示すように、板状材の裏面に当接する裏地（２）と、板状材の開口部の厚み部側面と当接する底部（３）と、板状材の表面に密接する表地（１）とで略ユ字状に成形され、各面材は可塑性を持つことにより広角・湾曲し極力小さな開口部への挿入を可能にした固定具である。
但し、本発明でいう略ユ字状とはユ字状やエ字状まで含み、更に、略ユ字状とは図１〜７のように頭部辺は裏地に相当し、下部辺は表地に相当する、従って、表地は壁材等に開けた開口部を完全に覆い隠すように裏地より幅を広く、長さは底部より長くしてある。  又、エ字状とは図８，９のように裏地が底部の位置より僅かに突出せていることをいう。
尚、壁に挿入された固定具を壁に固定させるために、表地と裏地とを締結するネジ穴が設けてあり、本発明の持つ形状復旧性能により表地の穴と裏地の穴との整合を保つ。
「請求項２」は、裏地を出来るだけ大きくして強度を持たせ、表地にかかりしろを設けて回転作用を抑止するに加えて、設けた開口部を覆い隠す手段である。
「請求項３」は、表地に化粧プレートを装着し、固定具を取りけたネジ等を覆い隠すと共に防水性を得たり、装飾性や表示性等の手段を講じたものである。ここで言う化粧プレートは容易に脱着・交換ができるっものである。
「請求項４」記載の固定具は、図８・９・１０に示すように、裏地と表地との間隔を可変に調整する手段を講じ、如何なる壁材の厚みでも対応できるようにする。
その一例として図８・９の様に裏地の下方に貫通穴（１６）を設け、該貫通穴に底部（３）を挿入してスライドさせて間隔を調整可能にしたものであり、図１０においては裏地（２）に調整域（２１）を設け如何なる壁厚にも対応できる例を示している。
【発明の効果】
【０００９】
既設の脆弱な壁・天井板の下地が無く、通常釘や捻子を打ち込んでも強度的効果の無い場所に、ねじで取り付ける吊り金具や受け金具・止め具を取り付けられるようになり、次に列挙する効果が得られる。
【００１０】
本発明品は、出願者本人が建築現場で得た経験を基にするところが多分に含まれており、その効果の第一は、金具の取り付け箇所を選ばないことである。本発明により既に仕上がった脆弱な壁・天井の下地がない場所に物を吊ったり受けたりする金具を「頑強に取り付ける」ことが可能になり、個人の思う自由な場所に目的の金具を取り付けることができる。
【００１１】
前記の「頑強に取り付ける」という根拠が本発明の効果の第二となる。かかる荷重に対して複数方向に強度を発揮する。裏地（２）は壁・天井材に対して垂直方向へかかる力に対し面で抵抗すること。よって裏地（２）の面積に比して吊り下げる対象物の重さに耐え得る。また、壁材に取り付ける場合は、裏地（２）の面による抵抗は基より、壁材の開口（９）の下端に当接される底部（３）は壁材に対して並行方向（図２における下方向）へかかる力に対して強く抵抗する。最も特徴的なのは本発明品に突起状の金具を取り付けた際の底部（３）を基軸とした回転力（モーメント）への抵抗力を裏地（２）と表地（１）のかかりしろ（１１）によって有していることである。
【００１２】
第三は、施工の容易性であり、ポイントを下記（イ）〜（ホ）に列挙する。
（イ）       本発明の持つ可塑性を利用することで、表地（１）・裏地（２）の両板材が柔軟に湾曲・広角し、小さな開口（９）への挿入を容易にし、挿入後は元の形状に戻り既設の壁・天井板を自動的に挟み込む。なお、元の形状に戻ることで、予め設けられた表地（１）と裏地（２）に設けられたネジ穴（４）と（５）の位置の整合を可能とする。
（ロ）       本発明は３つの面材で成形されることが基本であるため、該壁や天井材の面に対して並行方向に働くねじれ作用に対しての剛性を持つ特徴から、開口へ挿入後のネジ位置のズレを生じることなく、固定のためのネジ止め作業が容易である。
（ハ）      本発明の断面形状を図２に示す。裏地（２）が表地（１）に対して上方向に長いのは、開口上端（１０）の斜め上方カットと上記（イ）の両板材の性質と相まって、開口（９）への挿入を容易にする。
（ニ）      本発明の固定はネジ止めである。よって、接着剤やモルタル等を用いて硬化養生期間を要する湿式工法と違い、ネジ止め後すぐに次の作業を続けることができる。
（ホ）      本発明は化粧となる表地（１）と下地となる裏地（２）が底部（３）と結合されていることで、開口（９）へ挿入した時点で、下地と化粧つまり開口（９）の穴埋めが同時進行で完了する。
これら（イ）〜（ホ）の施工性の良さは、施工時間の短縮や施工技術の容易性につながり、結果的には施工金額の抑制を期待できる。
【００１３】
第四は、既設の壁・天井表面からの突出が少ないことで、従来のような分厚い補強板を使用する場合の工法に比べて意匠の欠乏や壁・天井材からの突出障害物による圧迫感や引っ掻き・打撲等の怪我の不安が無くなる。特に狭小な階段や廊下・トイレに手摺を付ける場合などは、１cmでも突出を抑えたい場合がある。
【００１４】
第五は、最小限の工事範囲で美観を損ねることなく目的を果たすことができる。特に図６・図７に表される表地（１）を覆い隠す化粧プレートを使用する場合は、防水性を兼ね備えることで生活防水レベルの壁・天井にも使用できる。また、化粧プレート（１３）自体の形状・色・柄によっては室内外の空間をいろどる装飾や取替え可能な表示を目的とした板としても実用が可能である。
【００１５】
第六は、この固定具が壁や天井等に挟み込めれば、如何なる被固定具でも取付けが可能で多用途に使用できる。
【図面の簡単な説明】
【００１６】
【図１】本発明の実施例１の斜視図である。
【図２】本発明の実施例１の断面図である
【図３】本発明の実施例１の挿入過程の断面図である
【図４】本発明の実施例１の分解斜視図である
【図５】本発明を挿入する開口穴の斜視図である
【図６】本発明の実施例２の化粧プレート脱着型の斜視図である
【図７】本発明の実施例２の化粧プレート脱着型の断面図である
【図８】本発明の実施例３の板厚対応型パターン１の斜視図である
【図９】本発明の実施例３の板厚対応型パターン１の断面図である
【図１０】本発明の実施例３の板厚対応型パターン２・３の断面図である。
【図１１】本発明の使用事例のパース図である
【発明を実施するための形態】
【００１７】
以下、本発明の実施の形態を図に基づいて説明する。
【実施例１】
【００１８】
本発明に用いられる面材は適度な可塑性を持つものであれば、素材を限定しない。
【００１９】
基本的な形状は表地（１）・裏地（２）・底部（３）の３つの面材で構成され、それらは図１に示す略ユ字状に結合されている。また、目的により最終的に化粧プレート（１３）をはめ込む図６・図７や取り付ける既設の壁天井板の厚みに自在に対応する図８・図９・図１０のような形式をとることもできる。
【００２０】
図１で示すところの表地（１）は室内側に現れる化粧面となるので、色・柄・形状の美観・意匠を整えるべき部分である。裏地（２）は既設壁・天井部材の背面になり最もかかる荷重に対して重要な下地として機能するため、できるだけ広く面積をとるべき部分である。底部（３）は表地（１）と裏地（２）を剛的に連結する面材であり、連結部がしっかり結合または折り曲げられることが求められる部分である。
【００２１】
図１で示すところの表地（１）にはネジ穴（４）、裏地（２）にはネジ穴（５）のネジ（７）締め込み用の穴を予め２か所ずつ開ける。ネジ穴（５）はネジ穴（４）に比べて小さめにすると締め込みが容易になり、裏地（２）としっかり緊結できる。
ただ、本体を既存の壁・天井板に挿し込んだ状態になるとネジ穴（５）を目視することができずネジ穴（４）と（５）の位置の整合を確認することが難しくなるので、挿し込んだ後も確実にネジ穴（４）と（５）の位置の整合を保つ必要があるが、これについては本体が持つ形状復旧性能を持ってしてほぼ正確に穴の位置を合わせることができる。また、図４に示される面取り（６）により、もしネジ先が多少ズレても確実にネジ穴（５）へ導くことができる。
【００２２】
図２の断面から分かるように、裏地（２）は表地（１）に比べて上方向に長い。裏地（２）を上方に長くすることで既設の脆弱な壁・天井材の裏面に接する面積を広くする目的と開口挿入時の挿入のし易さの双方の目的を持つ。
【００２３】
表地（１）の下部は底部（３）より突出し、かかりしろ（１１）を得ることで、受け金具を取り付けた際の底部（３）を基軸とした回転力（モーメント）が生じた際の止め部として重要に作用する目的と、既設の壁あるいは天井に開けた開口（９）のはみ出し部分を覆い隠す双方の目的を持つ。はみ出し部分を覆い隠す目的を持つかかりしろ（１１）を分かりやすく図４の分解図に網掛けで表示している。
【００２４】
図５に示すところの開口（９）を正確に開ける必要がある。その幅は裏地（２）底部（３）の幅よりわずかに広く表地（１）の幅を超えてはならない。また、開口の高さは底部（３）の短か手方向の幅とする。尚、壁の場合、開口は上部を壁の背面側を大きくなるよう斜めにカットする。天井の場合はどちらか一方を天井材の背面側が大きくなるよう斜めにカットすることで、挿入作業をより容易にすることができる。
【００２５】
図３で示すところの裏地（２）から表地（１）が室内側になるように、また壁・天井の板状部材（８）を挟むように表地（１）と裏地（２）を開き湾曲させて挿入する。その際、壁・天井の板状部材（８）の背面側を大きく斜めにカットした方向へ挟むように挿入することで抵抗が少なく、最小限の開口の大きさで施工が可能になる。
【００２６】
図２のように壁に用いる場合は挿入後、底部（３）が開口（９）の下端に着くまで押し下げることで、底部（３）を基軸とした回転力（モーメント）の荷重と下方向への荷重に対して有効に抵抗する。
【００２７】
図４の表地（１）側にはかかりしろ（１１）を網掛け表示している。下方のかかりしろについては段落番号「００２３」に先述した通りである。尚且つ表地（１）両側面にもわずかにかかりしろを設ける。つまり裏地（２）の幅より表地（１）の幅を広くもたせているのである。これは開口（９）の両端の空隙を覆い被せる目的のものである。
【００２８】
図２に示すところの固定用ネジ（７）をネジ穴（４）から２本締め込み表地（１）と裏地（２）を緊結・固定し、表地（１）に本来取り付けるべき吊り金具・受け金具等の取り付けネジ位置をけがき、ドリルで下穴をあけ金具を付属のネジで取り付けることで施工は完了する。
【００２９】
どのような場所やどのような金物に本発明が有効であるかを図１１に一例として示している。
【実施例２】
【００３０】
「実施例１」の基本的な形状・効果・作用・工法は同じくしてさらに発展した実施例２について記す。  
【００３１】
図６・７は「実施例１」の基本的な構造にさらに発展した形態を示している。表地（１）の長手方向の両側辺に欠き込み（１２）を設け、欠き込み（１２）に合致するツメ（１４）を有する化粧プレート（１３）をはめ込むことで、固定のために締め込んだネジ（７）の皿頭部分をも覆い隠し、一面のフラットな化粧面ができる。
【００３２】
上記の化粧プレート（１３）を用いることで、生活防水程度の水の進入を妨ぐことができ、且つ化粧プレートと壁・天井面との接線・隙間をシールすることで完全防水とすることができる。
尚、この化粧プレート（１３）は形状・色・柄のパターンを限らず、装飾品や標示板とすることもできる。
【実施例３】
【００３３】
「請求項４」記載の間隔を調整する手段を講じた実施例を図８・９および図１０に示している。
【００３４】
図８・図９は既設の壁・天井材の様々な厚みに対応したパターン１の本体である。「実施例１」との最も大きな違いは表地（１）底部（３）と裏地（２）が一体でないことと、引き寄せネジ（１５）・ネジ穴（１８）が「実施例１・２」に加えて必要になる。表地（１）と一体となった底部（３）を裏地（２）に設けられた貫通穴（１７）に差し込み外れ止めピン（１６）によって両面材の離反を制する構成を持ち、表地（１）と裏地（２）の間隔は底部（３）に設けられた外れ止めピンまでの間を自在に変動（スライド）できる。
【００３５】
「００３４」に記すパターン１の本体は、設置後の固定をするにあたり引き寄せネジ（１５）を先とし、挿入時に外れ止めピン（１６）まで一杯に離反した裏地（２）を引寄せネジ（１５）で引き寄せる。
【００３６】
図１０に示すのは、既設の壁・天井材の様々な厚みに対応したパターン２・パターン３の本体である。「実施例１」の形態・形状を踏襲した略ユ字状の裏地（２）を変形させ、調整域（２１）を持たせることで様々な厚みに対応する。
【００３７】
これら「００３４」乃至「００３６」に記す本体挿入の過程においては「実施例１」に準ずる。
【産業上の利用可能性】
【００３８】
本発明は建築物の屋内を中心に既設の脆弱な壁・天井材に吊り金具・受け金具・止め具等を取り付けたい場合に利用されるものであり、利用される分野に限りはない。また、施工・施工者においても簡単な構造・工法のため、特別な技術を要せず、一般的に利用できる。
【符号の説明】
【００３９】
１  表地
２  裏地
３  底部
４  ネジ穴（表地）
５  ネジ穴（裏地）
６  面取り
７  ネジ
８  板状部材（既設の壁・天井材）
９  開口
１０  開口上端
１１  かかりしろ
１２  欠き込み
１３  化粧プレート
１４  ツメ
１５  引寄せネジ
１６  外れ止めピン
１７  貫通穴
１８  引寄せネジ穴（裏地）
２１  調整域
【図１】
2016008692.tif 000003
【図２】
2016008692.tif 000004
【図３】
2016008692.tif 000005
【図４】
2016008692.tif 000006
【図５】
2016008692.tif 000007
【図６】
2016008692.tif 000008
【図７】
2016008692.tif 000009
【図８】
2016008692.tif 000010
【図９】
2016008692.tif 000011
【図１０】
2016008692.tif 000012
【図１１】
2016008692.tif 000013